(57)【特許請求の範囲】
【請求項１】
狩猟獣の進入口となる少なくとも１つの進入用開口を有する檻と、前記檻の進入用開口を閉鎖する状態と開放する状態に動作可能な扉と、前記扉を上昇させて檻の進入用開口を開放した状態に保持するロック部材を含み、前記ロック部材を外すことで前記檻の進入用開口を閉鎖する状態とするトリガー手段とを備えた獣捕獲罠において、前記檻は棒状部材から成り、前記侵入用開口と共に檻を形成するフレーム状の構造部と、前記構造部に連結されて前記進入用開口以外の開口を覆う繊維集合体とから成り、前記繊維集合体が縦横方向及び斜め方向に自由に伸縮できることを特徴とする獣捕獲罠。
【請求項２】
請求項１に記載した獣捕獲罠において、繊維集合体は袋状に形成され、檻の進入用開口側が開口した捕獲袋であり、ロック部材が外れた扉が檻の進入用開口を閉鎖する動作と連動して前記捕獲袋の開口を絞る袋開口絞り手段を備えたことを特徴とする獣捕獲罠。
【請求項３】
請求項１または２に記載した獣捕獲罠において、繊維集合体は網であり、ロック部材が外れた扉が檻の進入用開口を閉鎖する動作と連動して構造部の下面開口側に配置された網を上昇させる網上昇手段を備えたことを特徴とする獣捕獲罠。
【請求項４】
請求項１から３のいずれかに記載した獣捕獲罠において、繊維集合体は合成繊維で構成されていることを特徴とする獣捕獲罠。
【請求項５】
請求項１から４のいずれかに記載した獣捕獲罠において、繊維集合体は網であり、前記網の網目に構造部の棒状部材が挿通されていることを特徴とする獣捕獲罠。
【請求項６】
請求項５に記載した獣捕獲罠において、繊維集合体は格子状体であることを特徴とする獣捕獲罠。
【発明の詳細な説明】
【技術分野】
【０００１】
本発明は獣捕獲罠に係り、特に山野に生息する猪等の動物を捕獲するための獣捕獲罠に関するものである。
【背景技術】
【０００２】
山野に生息する猪等を捕らえる箱罠と呼ばれる獣捕獲罠には特許文献１に記載されたものがある。この獣捕獲罠はほぼ全体が鋼材によって構成されており、相当な重量がある。特に猪や熊などの大型の狩猟獣を捕らえるための獣捕獲罠は、破壊されるのを防止するためほぼ全体が鋼材によって構成され、しかもかなりの強度を必要とすることから鋼材もある程度の太さの棒状部材等を使用することになる。従って、重量が増すことになり、その重量は軽い物でも５０ｋｇ程度であり、１００ｋｇを超える物も多い。
また、捕獲された狩猟獣は檻に閉じこめたまま射殺される事が多いが、ほぼ全体が鋼材で構成される檻では、檻に当たった銃弾が跳ね返る、跳弾の危険性が有る。
【先行技術文献】
【特許文献】
【０００３】
【特許文献１】特開２００６−２２３１６５号公報
【発明の概要】
【発明が解決しようとする課題】
【０００４】
しかしながら、上記従来の獣捕獲罠は相当な重量となるため、運搬が極めて大変である。特に猪や熊などの大型の狩猟獣を捕らえるための獣捕獲罠は山奥に仕掛けることが多いため、重量が重いと運搬には相当に苦労することになる。なお、アルミニウム合金製の獣捕獲罠もあるが、それでも５０ｋｇ程度あり、しかも強度的に大型の狩猟獣用としては十分ではないおそれもある。
本発明は上記従来の問題点に着目して為されたものであり、軽量で、しかも大型の狩猟獣でも破壊されることがなく、更に跳弾による危険のない獣捕獲罠を提供することを、その目的とする。
【課題を解決するための手段】
【０００５】
本発明は上記課題を解決するためになされたものであり、請求項１の発明は、狩猟獣の進入口となる少なくとも１つの進入用開口を有する檻と、前記檻の進入用開口を閉鎖する状態と開放する状態に動作可能な扉と、前記扉を上昇させて檻の進入用開口を開放した状態に保持するロック部材を含み、前記ロック部材を外すことで前記檻の進入用開口を閉鎖する状態とするトリガー手段とを備えた獣捕獲罠において、前記檻は棒状部材から成り、前記侵入用開口と共に檻を形成するフレーム状の構造部と、前記構造部に連結されて前記進入用開口以外の開口を覆う繊維集合体とから成り、前記繊維集合体が縦横方向及び斜め方向に自由に伸縮できることを特徴とする獣捕獲罠である。
【０００６】
請求項２の発明は、請求項１に記載した獣捕獲罠において、繊維集合体は袋状に形成され、檻の進入用開口側が開口した捕獲袋であり、ロック部材が外れた扉が檻の進入用開口を閉鎖する動作と連動して前記捕獲袋の開口を絞る袋開口絞り手段を備えたことを特徴とする獣捕獲罠である。
【０００７】
請求項３の発明は、請求項１または２に記載した獣捕獲罠において、繊維集合体は網であり、ロック部材が外れた扉が檻の進入用開口を閉鎖する動作と連動して構造部の下面開口側に配置された網を上昇させる網上昇手段を備えたことを特徴とする獣捕獲罠である。
【０００８】
請求項４の発明は、請求項１から３のいずれかに記載した獣捕獲罠において、繊維集合体は合成繊維で構成されていることを特徴とする獣捕獲罠である。
請求項５の発明は、請求項１から４のいずれかに記載した獣捕獲罠において、繊維集合体は網であり、前記網の網目に構造部の棒状部材が挿通されていることを特徴とする獣捕獲罠である。
【０００９】
請求項６の発明は、請求項５に記載した獣捕獲罠において、繊維集合体は格子状体であることを特徴とする獣捕獲罠である。
【発明の効果】
【００１０】
本発明の獣捕獲罠によれば、檻の構成部材の一部に繊維集合体を用いたので、軽量化することができる。しかも構造部全体で力を受けるので、大型の狩猟獣でも破壊されることはない。更に跳弾による危険を防止することができる。
また、捕獲袋の開口が絞られたり、上昇した網が狩猟獣の脚に纏わり付いたりして、狩猟獣の動きを阻害する結果、狩猟獣の力が抑制される。従って、構造部にかかる力を軽減でき、構造部の強度を小さくすることが可能となる。よって、構造部を構成する部材を少なくできて、獣捕獲罠をより軽量なものとすることが可能となる。
【図面の簡単な説明】
【００１１】
【図１】本発明の実施の形態１に係る獣捕獲罠の斜視図である。
【図２】図１の獣捕獲罠の側面図である。
【図３】図１の獣捕獲罠のフレームの斜視図である。
【図４】図１の獣捕獲罠の捕獲袋の斜視図である。
【図５】本発明の実施の形態２に係る獣捕獲罠の斜視図である。
【図６】図５の獣捕獲罠のフレームの斜視図である。
【図７】図５の獣捕獲罠の側面図である。
【図８】図５の獣捕獲罠の正面図である。
【図９】捕獲袋の下部が上昇した状態を示す図である。
【図１０】捕獲袋の開口が絞られた状態を示す図である。
【図１１】本発明の実施の形態３に係る獣捕獲罠の斜視図である。
【発明を実施するための形態】
【００１２】
本発明の実施の形態１に係る獣捕獲罠１を図１から図４にしたがって説明する。
符号３は檻を示し、この檻３は構造部としてのフレーム５、繊維集合体としての捕獲袋７等によって構成されている。
フレーム５の詳細な構造について説明する。
フレーム５（図３参照）はアルミニウム合金製の角型の棒状部材９を組み合わせて構成されており、棒状部材９どうしは六面に開口が形成されるように連結されている。従って、フレーム５には狩猟獣の進入口となる進入用開口１１、この進入用開口１１に対向する背面開口１３、左面開口１５、右面開口１７、上面開口１９及び下面開口２１が形成されている。
フレーム５は以上のように構成されている。
【００１３】
捕獲袋７（図４参照）は、ＰＥＴ等の合成繊維から成る無結節の網によって構成されている。
図２に示すように捕獲袋７は、その網目にフレーム５を構成する棒状部材９の殆どが挿通されてフレーム５に取り付けられており、この捕獲袋７は背面開口１３、左面開口１５、右面開口１７、上面開口１９及び下面開口２１を覆っている。
【００１４】
符号２３はガイド部材を示し、このガイド部材２３は内側面に溝２５を有するコの字状の部材である。ガイド部材２３は進入用開口１１の縁部に、辺が無い部分を上側に向けて取り付けられている。ガイド部材２３の溝２５には扉２７が上下動自在に差し込まれており、扉２７は檻３の進入用開口１１を閉鎖する状態と開放する状態に動作できるようになっている。
【００１５】
扉２７には図示しないトリガー手段が接続されている。このトリガー手段は、公知のものが適用され、扉２７を図１に示す進入用開口１１を開放する上昇した状態に保持するロック部材と、このロック部材に一端部が連結され、他端部が檻３内に備えられる連結部材等によって構成されている。
【００１６】
次に、この獣捕獲罠１の使用方法等について説明する。
獣捕獲罠１を仕掛ける場合は、トリガー手段の連結部材の他端部に餌を付け、また扉２７を上昇させた状態でトリガー手段のロック部材によって保持させておく。
狩猟獣として例えば猪が進入用開口１１から檻３内に進入して餌に触れると、トリガー手段のロック部材が外れて扉２７が下降し、進入用開口１１が閉鎖されて、猪は檻３に閉じ込められる。猪が逃げようとして捕獲袋７に体当たりをしても、前述したように捕獲袋７は網によって構成されているので、図１（Ｂ）に示す横方向、同図（Ｃ）に示すよう縦方向、更に斜め方向にも自由に伸縮して、捕獲袋７に加わる衝撃が、捕獲袋７のクッション性によって和らげられる。
【００１７】
また、捕獲袋７の網目にはフレーム５を構成する棒状部材９の殆どが挿通されているので、捕獲袋７の一部分に衝撃が加わった場合でも、その際に発生する力は捕獲袋７が伸びる事で力が分散しフレーム５全体で受けることになる。
よって、フレーム５を構成する棒状部材９として、従来の獣捕獲罠を構成する棒状部材よりも強度の小さい（細い）ものを採用することができる。このようにフレーム５全体で力を受けるので、力が分散されることになり、獣捕獲罠１が猪などの大型の狩猟獣によって破壊されるのを防止できる。
【００１８】
また、繊維集合体である捕獲袋７を構成部材とした結果、従来の獣捕獲罠の棒状部材の数よりも少ない数の棒状部材９で構成できる。しかも、棒状部材９等をアルミニウム合金によって構成しているので、従来の獣捕獲罠と比べて非常に軽量なものとなっている。従って、この獣捕獲罠１では、簡単に運搬することができ、山奥に仕掛ける場合であっても軽量なので苦労することがない。
更に、獣捕獲罠１では、従来の構造体全体が鋼材から成る獣捕獲罠（箱罠）の出入口を除いた５面を単純に同じ断面積強度の合成繊維製の捕獲袋７に置換することにより、合成繊維の伸縮特性によって狩猟獣の力を吸収できる。
しかも、獣捕獲罠１では、底面の網状構造物を上昇させて狩猟獣の動きを阻害でき、狩猟獣の力が抑制される。
従って、構造部としてのフレーム５にかかる力を軽減でき、フレーム５の強度を小さくすることが可能となる。よって、フレーム５を構成する部材を少なくできて、獣捕獲罠１を軽量なものとすることが可能となる。
【００１９】
実施の形態２に係る獣捕獲罠３１を図５から図１０にしたがって説明する。
実施の形態２に係る獣捕獲罠３１は、実施の形態１に係る獣捕獲罠１と同様の構成部分を有するので、獣捕獲罠１と同様の構成部分については、同じ符号を付すことで説明を省略する。また実施の形態３についても同様とする。
図６において符号３３はアルミニウム合金製の角型の棒状部材を示し、この棒状部材３３は棒状部材９と共にフレーム５を構成している。棒状部材３３は背面開口１３、左面開口１５及び右面開口１７にそれぞれ配置されている。
【００２０】
図７に示すように捕獲袋７は、その網目に上面側の棒状部材９、背面側の棒状部材９及び棒状部材３３が挿通されてフレーム５に取り付けられている。なお、下面側の棒状部材９は捕獲袋７の網目に挿通されていない。
符号３５はアルミニウム合金製の角棒から成る枠状体を示し、この枠状体３５は立設姿勢でフレーム５とガイド部材２３との間に固定されている。枠状体３５の上下方向の略中間部にはアルミニウム合金製の連結棒材３７（図８参照）が渡設されている。
枠状体３５の上面には３つの滑車３９が取り付けられている。
【００２１】
符号４１は袋開口絞り手段としての２本のロープを示し、２本のロープ４１の一端部は枠状体３５の下端部の中央部に連結されている。図８において左側のロープ４１は捕獲袋７の開口側端部の左半分の網目に挿通されており、また右側のロープ４１は捕獲袋７の開口側端部の右半分の網目に挿通されている。そして、２本のロープ４１は連結棒材３７の中央部に形成された図示しない穴に通され、滑車３９に掛けられて、他端部が扉２７の上端部に連結されている。
【００２２】
符号４３は４本のロープを示し、４本のロープ４３の一端部は、互いに間隔をあけた状態で背面開口１３に位置する棒状部材３３に連結されている。４本のロープ４３は捕獲袋７の下部の網目に挿通されている（図５参照）。
図８において４本のロープ４３のうち、左側の２本のロープ４３の他端部は１本のロープ４５の一端部に連結されており、このロープ４５は連結棒材３７の左端部に形成された図示しない穴に通され、滑車３９に掛けられて、他端部が扉２７の上端部に連結されている。また、右側の２本のロープ４３の他端部は上記ロープ４５とは別のロープ４５の一端部に連結されており、このロープ４５は連結棒材３７の右端部に形成された図示しない穴に通されたあと、滑車３９に掛けられて、他端部が扉２７の上端部に連結されている。
網上昇手段はロープ４３、４５によって構成されている。
【００２３】
符号４７はクリップを示し、このクリップ４７はフレーム５の下面側の棒状部材９に取り付けられている。このクリップ４７によって捕獲袋７の下部が下面開口２１を覆う状態に仮止めされており、後述するように捕獲袋７の下部が上昇するとクリップ４７は捕獲袋７から外れるようになっている。
【００２４】
図９に示すように猪が餌に触れて扉２７が下降すると、扉２７によってロープ４３、４５が引っ張られ、捕獲袋７の下部が上昇する。前述したように捕獲袋７は網によって構成されているので、猪の脚が捕獲袋７の網目が入り込み、捕獲袋７が猪の脚に纏わり付く。また、猪が捕獲袋７内で暴れて、扉２７に近づくとロープ４３、４５が緩んで扉２７が下降し、扉２７から離れるとロープ４３、４５が引っ張られて扉２７が上昇する。このように扉２７は言わば錘として機能してロープ４３、４５に適度なテンションを掛け、猪の脚に捕獲袋７が確実に纏わり付くようにする。これにより猪の動きが確実に阻害されることになる。このように、狩猟獣の動きを阻害できる結果、狩猟獣の力が抑制される。従って、フレーム５にかかる力を軽減でき、フレーム５の強度を小さくすることが可能となる。よって、フレーム５を構成する部材を少なくできて、獣捕獲罠３１をより軽量なものとすることが可能となっている。
【００２５】
また、扉２７が下降すると、扉２７によってロープ４１が引っ張られ、図１０に示すようにロープ４１によって捕獲袋７の開口が絞られる。これにより猪が捕獲袋７内に完全に閉じ込められることになる。
このように猪が捕獲袋７内に完全に閉じ込められるので、扉２７、フレーム５の強度を比較的小さくすることができる。従って、フレーム５だけでなく扉２７をアルミニウム合金によって構成して獣捕獲罠３１全体をより軽量化することが可能となる。
【００２６】
実施の形態３に係る獣捕獲罠５１を図１１にしたがって説明する。
符号５３は繊維集合体としての格子状体を示し、この格子状体５３は、ＰＥＴ等の合成繊維から成るロープ５５を格子状に配置して構成されている。
この獣捕獲罠５１も、従来の獣捕獲罠と比べて非常に軽量なものとなっている。従って、この獣捕獲罠５１でも、簡単に運搬することができる。
【００２７】
以上、本発明の実施の形態について詳述してきたが、具体的構成は、この実施の形態に限られるものではなく、本発明の要旨を逸脱しない範囲における設計の変更などがあっても発明に含まれる。
フレーム５にアルミニウム合金製の格子を取り付けて檻３を補強することも可能である。
上記実施の形態では、棒状部材９等をアルミニウム合金によって構成したが、棒状部材９等をアルミニウム合金以外の金属、例えばマグネシウム合金やチタン合金等によって構成してもよい。
更に、棒状部材を合成樹脂（塩ビパイプ等の成型樹脂）や木材によって構成ししてもよい。
進入用開口１１を１つ設けたが、進入用開口１１を２つ以上設けてもよい。例えば背面開口１３も進入用開口として、背面側にもガイド部材２３、扉２７を備える構成とする。
捕獲袋７を無結節の網によって構成したが、捕獲袋７を有結節網、綟子網、織網等によって構成してもよい。また、ロープを格子状に配置して構成してもよい。
また、捕獲袋７を、ポリアミド系繊維、ポリビニルアルコール系繊維、ポリエチレン系等の汎用繊維から成る網によって構成してもよい。
更に、衝撃を十分吸収出来る伸縮性があれば、ケブラー（商標登録）等のスーパー繊維、炭素繊維、ポリ乳酸等の生分解性繊維、金属繊維等から構成してもよい。また、これらの繊維を組み合わせて構成してもよい。
目合（網目の大きさ）は限定せず、目的とする獣によって適宜変更してもよい。
網脚の太さは限定せず、必要とする強度によって適宜変更してもよい。
【００２８】
上記実施の形態２では、ロープ４１を２本、ロープ４３を４本、ロープ４５を２本設けたが、ロープ４１、４３、４５の数を適宜変更してもよい。
また、滑車３９を３つ設けたが、滑車３９を２つ以下または４つ以上設けてもよい。
捕獲袋７を仮止めするクリップ４７を設けたが、捕獲袋７を仮止めすることができればクリップ４７に限定されない。
【産業上の利用可能性】
【００２９】
本発明は猪などの狩猟獣を捕獲するための獣捕獲罠の製造業に利用可能である。
【符号の説明】
【００３０】
１…獣捕獲罠      ３…檻      ５…フレーム
７…捕獲袋      ９…棒状部材      １１…進入用開口
１３…背面開口      １５…左面開口      １７…右面開口
１９…上面開口      ２１…下面開口      ２３…ガイド部材
２５…溝      ２７…扉
３１…獣捕獲罠      ３３…棒状部材      ３５…枠状体
３７…連結棒材      ３９…滑車      ４１、４３、４５…ロープ
４７…クリップ
５１…獣捕獲罠      ５３…格子状体      ５５…ロープ
【図１】
0005683846.tif 000002
【図２】
0005683846.tif 000003
【図３】
0005683846.tif 000004
【図４】
0005683846.tif 000005
【図５】
0005683846.tif 000006
【図６】
0005683846.tif 000007
【図７】
0005683846.tif 000008
【図８】
0005683846.tif 000009
【図９】
0005683846.tif 000010
【図１０】
0005683846.tif 000011
【図１１】
0005683846.tif 000012